(57)【要約】【課題】コンクリートスラブのアンカー孔内の粉塵等を、ブロワを用いて吹き飛ばす作業が行われる。この場合、ブロワ本体には、先端が細くなってアンカー孔内に差し込み可能なノズルが装着される。従来アンカー孔内から吹き飛ばされた粉塵等が作業者側へ飛散して作業がしづらい問題があった。本発明では、作業者側へ粉塵が飛散しにくくなるようにする。【解決手段】ノズル２０の側部に複数の小孔２１〜２１を設ける。各小孔２１から吹き出す風により当該ノズル２０の周囲にエアカーテン２２を生成する。エアカーテン２２により、アンカー孔ＣＨから吹き上がる粉塵等を遮って作業者Ｍ側に吹き付けられにくくなるようにする。【選択図】図６
2015102062.tif 000002
【特許請求の範囲】
【請求項１】
送風ファンを内装した本体と、該本体に設けた送風口に装着可能なノズルを備えたブロワであって、前記ノズルに、その先端に設けた吹き出し口からの風による粉塵の飛散を抑制するための飛散抑制手段を備えたブロワ。
【請求項２】
請求項１記載のブロワであって、前記飛散抑制手段として、前記ノズルの側部に小孔を設けたブロワ。
【請求項３】
請求項１又は２記載のブロワであって、前記ノズルは合成樹脂製で、前記吹き出し口と、前記本体に対する取り付け口との間に、吹き出し向きを変更するための首振り部を備えており、該首振り部と前記取り付け口との間の側部に前記小孔を備えたブロワ。
【請求項４】
ブロワの送風口に装着可能なノズルであって、その先端に設けた吹き出し口とは別に、側部に風を吹き出すための小孔を備えたノズル。
【発明の詳細な説明】
【技術分野】
【０００１】
この発明は、例えば建築作業現場において、床面に飛散した粉塵や小径の孔内に堆積した粉塵等を吹き飛ばすための簡易な送風機であって、多くの場合手に持って用いる小型軽量で携帯性に優れたブロワに関する。
【背景技術】
【０００２】
この種のブロワは、本体ハウジングに内装したファンをモータで回転させ、これにより本体ハウジングに設けた吸気口から送風口に至る風の流れを発生させて、送風口から大風量で送風できる構成を備えている。従来、この種のブロワに関する技術が下記の特許文献に開示されている。
このブロワは様々な場面で簡易な送風機として用いられている。例えば、上記の建築作業現場において、コンクリートスラブの上面（床面）に設けた小径のアンカー孔（ねじ止め用の下孔）内に堆積した粉塵を吹き出す場合にこのブロワが用いられている。この場合には、ブロワ本体の吹き出し口に、先端が小径の専用ノズルが装着される。このアンカー孔用ノズルの先端をアンカー孔内に差し込んで風を吹き付けることによりアンカー孔内に堆積した粉塵等を簡単に吹き飛ばすことができる。
【先行技術文献】
【特許文献】
【０００３】
【特許文献１】特開２００１−５０１９６号公報
【特許文献２】特開昭４５−３０３８９号公報
【発明の概要】
【発明が解決しようとする課題】
【０００４】
しかしながら、ノズルの先端をアンカー孔内に差し込んで風を吹き付けると、アンカー孔内から吹き出された粉塵等が作業者側に飛散して作業がしづらいという問題があった。
本発明は、ノズルの先端を例えば小径のアンカー孔内に差し込んで堆積した粉塵等を吹き出す作業を行う場合に、吹き出した粉塵等が作業者側に飛散しないようにしてブロワの使い勝手を高めることを目的とする。
【課題を解決するための手段】
【０００５】
上記の課題は以下の発明により解決される。
第１の発明は、送風ファンを内装した本体と、本体に設けた送風口に装着可能なノズルを備えたブロワであって、このノズルに、その先端に設けた吹き出し口からの風による粉塵の飛散を抑制するための飛散抑制手段を備えたブロワである。
第１の発明によれば、ノズル先端側から飛散する粉塵等が飛散抑制手段により遮られて作業者側へ吹き付けられることが抑制される。飛散手段として、ノズルの側部に複数の小孔を設けることができる。各小孔から吹き出される風により当該ノズルの周囲にエアカーテンを生成することがき、このエアカーテンにより粉塵等の飛散を抑制して作業者側へ吹き付けられにくくすることができる。また、飛散抑制手段として、ノズルの側部に傘部若しくは遮蔽板を設けることができる。この傘部若しくは遮蔽板をノズルの周囲に張り出させておくことにより、ノズル先端側から飛散する粉塵等の飛散を抑制して作業者側へ吹き付けられにくくすることができる。
第２の発明は、第１の発明において、飛散抑制手段として、ノズルの側部に小孔を設けたブロワである。
第２の発明によれば、小孔から吹き出す風によってノズルの周囲にエアカーテンが生成されて、粉塵等の作業者側への飛散が遮られる。ノズルの先端側から飛散する粉塵等がこのエアカーテンで遮られて作業者にまで吹き付けられにくくなるので、作業者は従来のように粉塵の飛散を避けるために窮屈な姿勢をとることなく楽な姿勢で作業を行うことができ、この点で当該ブロワの使い勝手を高めることができ、ひいてはこの種の粉塵等吹き飛ばし作業の作業性を高めることができる。
また、ノズル先端の吹き出し口に加えて小孔から風が吹き出されるので、吹き出し口のみから吹き出す場合の圧力損失を小さくしてモータ負荷を軽減することができ、ひいては当該ブロワの耐久性を高めることができる。
第３の発明は、第１又は第２の発明において、ノズルは合成樹脂製で、吹き出し口と、本体に対する取り付け口との間に、吹き出し向きを変更するための首振り部を備えており、この首振り部と取り付け口との間の側部に小孔を備えたブロワである。
第３の発明によれば、ノズルの吹き出し向きにかかわらず、作業者に対して常時一定の範囲にエアカーテン（飛散抑制手段）が生成されて、粉塵等の作業者側への飛散が安定的に遮られる。
第４の発明は、ブロワの送風口に装着可能なノズルであって、その先端に設けた吹き出し口とは別に、側部に風を吹き出すための小孔を備えたノズルである。
第４の発明によれば、当該ノズルをブロワに装着してその先端の吹き出し口から風を吹き出すと、小孔から側方へ風が吹き出されてエアカーテンが生成される。ノズルの長手方向中途に生成されるエアカーテンにより作業者側に向けて飛散する粉塵等が遮られることから、作業者は従来のように粉塵等の飛散を避けるため窮屈な姿勢をとることなく楽な姿勢で粉塵吹き飛ばし作業を行うことができ、これにより当該ノズルの使い勝手が高められてこの種の作業の作業性を高めることができる。
【図面の簡単な説明】
【０００６】
【図１】本実施形態に係るブロワの全体斜視図である。
【図２】本実施形態に係るブロワの全体側面図である。本図において、本体の一部が立て断面で示されている。
【図３】本体の側面図である。本図ではノズルが取り外された状態で示されている。
【図４】図３の(IV)-(IV)線断面矢視図であって、本体の横断面図である。
【図５】ノズルの全体斜視図である。
【図６】本実施形態のブロワを用いてアンカー孔内の粉塵を吹き飛ばす作業を行っている様子を示す図である。
【発明を実施するための形態】
【０００７】
次に、本発明の実施形態を図１〜図６に基づいて説明する。図１及び図２に示すように本実施形態のブロワ１は、本体１０とノズル２０を備えている。本体１０は、本体ハウジング１１の右側部に駆動源としての電動モータ１２を備えている。図１〜図３に示すように本体ハウジング１１の前部に筒体形の送風口１３が一体に設けられている。また、本体ハウジング１１の右側方であって電動モータ１２のモータハウジングには作業者が把持するハンドル部１５が設けられている。ハンドル部１５は、モータハウジングの前部から後部に至るループ形を有している。ハンドル部１５の内周側には、トリガ形式のスイッチレバー１５ａが設けられている。ハンドル部１５を把持した作業者が把持した手の指先でこのスイッチレバー１５ａを引き操作すると電動モータ１２が起動する。ハンドル部１５の左側部には、スイッチレバー１５ａの引き操作状態をロックするためのロックボタン１５ｂが設けられている。ハンドル部１５の後部からは電源コード１６が引き出されている。電動モータ１２は、商用の交流１００Ｖを電源としている。また、ハンドル部１５の下面には、当該ブロワ１を図２，３に示すように床面Ｆ上に自立状態で設置するための脚部１５ｃ，１５ｃがハンドル部１５と一体的に設けられている。本実施形態のブロワ１は、前後一対の脚部１５ｃ，１５ｃと本体ハウジング１１の下部に設けた脚部１１ａとの３点で自立した状態に設置させることができる。
図４に示すように電動モータ１２の出力軸１２ａに、送風ファン１７が取り付けられている。送風ファン１７にはいわゆる遠心ファンが用いられている。本体ハウジング１１の左側部には、円筒形の吸気口１８が設けられている。電動モータ１２の起動により送風ファン１７が図２において反時計回り方向に回転すると、吸気口１８から外気が吸気され、これが送風ファン１７から放射方向に吹き出されて本体ハウジング１１の内面に吹き当てられ、これにより図２矢印で示す反時計回り方向の旋回流となって順次送風口１３から吹き出される。
【０００８】
送風口１３に、アンカー孔用のノズル２０が装着されている。このノズル２０は、合成樹脂の成形により製作されている。図１，２，５に示すようにこのノズル２０は、先端側が小径となる緩やかな概ねテーパ形の円筒形状を有している。このノズル２０の先端が吹き出し口２０ａとなっている。図示するようにこの吹き出し口２０ａは、斜めに切り落とされたように傾斜して尖っており、アンカー孔ＣＨ等の小径孔に差し込みやすくなっている。このノズル２０の後端が本体１０の送風口１３に対する取り付け口２０ｃとなっている。この取り付け口２０ｃが最も大きな口径を有している。取り付け口２０ｃの左右両側部には抜け止め用の突起２０ｄ，２０ｄが設けられている。
取り付け口２０ｃを本体１０の送風口１３に差し込んで一定角度軸回りに回転させると、この突起２０ｄ，２０ｄが送風口１３に対して抜け方向に係合した状態で取り付けられる。これにより、当該ノズル２０の送風口１３からの不用意な脱落が防止される。図１，３に示すように送風口１３の側部には、ノズル２０の取り付け方向を示す矢印１３ａが表示されている。取り付けたノズル２０を矢印１３ａとは逆方向に回転させて送風口１３から引き抜けば、当該ノズル２０を本体１０から取り外すことができる。
ノズル２０の長手方向中程には、ジャバラ形の首振り部２０ｂが設けられている。この首振り部２０ｂも当該ノズル２０の成形時に同時に成形されている。ノズル２０は、この首振り部２０ｂにより、先端側の吹き出し口２０ａの向きを取り付け口２０ｃ側に対して任意の方向に変更させることができる。
長手方向について首振り部２０ｂと取り付け口２０ｃとの間において、当該ノズル２０の側部には、粉塵等の主として作業者Ｍ側への飛散を抑制するための手段（飛散抑制手段）として複数の小孔２１〜２１が設けられている。各小孔２１は吹き出し口２０ａよりも若干大径の貫通孔であり、本実施形態では直径１０ｍｍの小孔２１〜２１が同一円周上の周方向６等分位置に合計６つ配置されている。
【０００９】
図６には、以上のように構成したブロワ１を用いて、コンクリートスラブＣのアンカー孔ＣＨ内に堆積した粉塵等を除去する作業の様子が示されている。作業者Ｍは、片手でハンドル部１５を把持してノズル２０の吹き出し口２０ａをアンカー孔ＣＨ内に差し込んでいる。吹き出し口２０ａをアンカー孔ＣＨ内に差し込んだ状態でスイッチレバー１５ａを引き操作することにより、吹き出し口２０ａから大きな風量の風が吹き出される。吹き出し口２０ａから吹き出される風によってアンカー孔ＣＨ内の粉塵等が上方へ吹き出される。
ノズル２０の側部には６つの小孔２１〜２１が同一円周上に沿って設けられている。本体１０の送風口１３から吹き出された風の一部は、この小孔２１〜２１から側方へ吹き出される。ノズル２０の側部であって同一円周上の６等分位置に配置された６つの小孔２１〜２１から風が側方（放射方向）に吹き出されることにより、ノズル２０の周囲に円板形のエアカーテン２２が生成される。アンカー孔ＣＨから上方へ吹き上げられた粉塵等は、このエアカーテン２２により遮られて作業者Ｍ側にまで吹き上がりにくくなる。
【００１０】
以上のように構成した本実施形態のブロワ１によれば、ノズル２０にはエアカーテン２２を生成するための小孔２１〜２１が設けられている。このエアカーテン２２により、アンカー孔ＣＨから吹き上げられた粉塵等が作業者Ｍに吹き付けられにくくなる。このことから、作業者Ｍは、従来のような吹き上がる粉塵を避けるために窮屈な姿勢をとることなく楽な姿勢で粉塵除去作業を行うことができる。これにより当該ブロワ１の使い勝手を高めることができ、ひいては当該粉塵除去作業の作業性を高めることができる。
また、ノズル２０の側部に小孔２１〜２１が設けられていることにより、吹き出し口２０ａによる圧力損失を軽減することができ、これにより電動モータ１２の負荷を軽減して耐久性を高めることができる。
【００１１】
以上説明した実施形態には種々変更を加えることができる。例えば、コンクリートスラブＣのアンカー孔ＣＨ用のノズル２０を例示したが、壁面に設けた孔、木材に設けた孔等その他の小径孔内の粉塵除去作業に用いるノズルについても例示した小孔２１〜２１を設けることにより同様の作用効果を得ることができる。
また、ノズル２０の側部であって、同一円周上に飛散抑制手段として６つの小孔２１〜２１を設けた構成を例示したが、これよりも少ない若しくは多い小孔を設けて飛散抑制手段とすることができる。さらに、飛散抑制手段として、複数の円周上に沿ってそれぞれ複数の小孔を設けた構成としてもよい。
また、本体１０から取り外し可能なノズル２０を例示したが、取り外し不能で本体１０側に一体に設けられたノズルについても例示した小孔２１〜２１を設けることにより同様の作用効果を得ることができる。
さらに、飛散抑制手段として複数の小孔２１〜２１を例示したが、これに代えてノズルの側部に傘部若しくは遮蔽板部を設けることができる。この傘部若しくは遮蔽板部をノズルの周囲に張り出させておくことにより、ノズル先端側から飛散する粉塵等が作業者側へ吹き付けられにくくすることができる。このように、エアカーテン以外の飛散抑制手段を用いることによっても同様の作用効果を得ることができる。
【符号の説明】
【００１２】
１…ブロワ
１０…本体
１１…本体ハウジング、１１ａ…脚部
１２…電動モータ
１３…送風口
１５…ハンドル部
１５ａ…スイッチレバー、１５ｂ…ロックボタン、１５ｃ…脚部
１６…電源コード
２０…ノズル
２０ａ…吹き出し口、２０ｂ…首振り部、２０ｃ…取り付け口
２１…小孔
２２…エアカーテン（飛散抑制手段）
Ｃ…コンクリートスラブ、ＣＨ…アンカー孔
Ｍ…作業者
【図１】
2015102062.tif 000003
【図２】
2015102062.tif 000004
【図３】
2015102062.tif 000005
【図４】
2015102062.tif 000006
【図５】
2015102062.tif 000007
【図６】
2015102062.tif 000008